(57)【要約】【課題】  販売促進キャンペーンの内容及びその応募方法などの公示情報は外部から視認可能に表示しつつ、商品識別情報及び二次元コードを商品購入者以外の者に知得できないよう隠蔽可能な粘着ラベルを提供すること。【解決手段】  商品に貼着されて販売促進キャンペーンなどの商品関連情報を表示する粘着ラベル１を、商品に貼着される第１基材Ｋ１と、この第１基材Ｋ１の上に貼着される第２基材Ｋ２と、からなる２層構造とし、第１基材Ｋ１の表面又は裏面、第２基材Ｋ２の裏面のいずれかの面に、二次元コード及び商品識別情報を印刷し、第２基材Ｋ２の表面に、キャンペーンの応募方法などの公示情報を印刷し、二次元コード及び商品識別情報を第２基材Ｋ２で隠蔽する。【選択図】      図４
0003169174.tif 000002
【実用新案登録請求の範囲】
【請求項１】
片面に粘着層を有するラベル基材からなり、商品又はその包装や容器に貼着されて販売促進キャンペーンなどの商品関連情報を表示する粘着ラベルであって、
前記ラベル基材は、前記粘着層を介して商品又はその包装や容器に貼着される第１基材と、この第１基材の上に前記粘着層を介して貼着される第２基材と、からなる２層構造となっており、
前記第１基材の表面又は裏面、前記第２基材の裏面のいずれかの面には、複数の色彩に着色されたセルドットの二次元分布パターンで前記商品関連情報を表現する二次元コード、及びＩＤ番号やシリアルナンバーなどの商品識別に用いる商品識別情報が印刷され、第２基材の表面には、前記キャンペーンの応募方法などの公示情報が印刷され、前記二次元コード及び商品識別情報が、前記第２基材により隠蔽されていることを特徴とする粘着ラベル。
【請求項２】
前記二次元コードには、前記セルドットと異なる色に着色されたデザインキャラクター及び／又はロゴが印刷されていることを特徴とする請求項１に記載の粘着ラベル。
【請求項３】
前記第２基材の一部が、切り欠かれているか又は切れ目が形成されていることを特徴とする請求項１又は２に記載の粘着ラベル。
【請求項４】
前記第２基材の一部の裏面に、前記粘着層が形成されていないことを特徴とする請求項１又は２に記載の粘着ラベル。
【請求項５】
前記第２基材の一部が、他の部分より硬くなっていることを特徴とする請求項１又は２に記載の粘着ラベル。
【考案の詳細な説明】
【技術分野】
【０００１】
この考案は、商品に貼着されて商品関連情報を表示する粘着ラベルに関し、より詳細には、商品関連情報のうち、販売促進キャンペーンの内容及びその応募方法などの公示情報は外部から視認可能に表示しつつ、商品毎に異なるＩＤ番号やシリアルナンバーなどの商品識別情報、及びＵＲＬ情報を内容とするデザインキャラクター及び／又はロゴ入り二次元コードを商品購入者以外の者に知得できないよう隠蔽可能な粘着ラベルの構造に関する。
【背景技術】
【０００２】
従来、販売促進キャンペーンの内容及びその応募方法、インターネット及び／又は携帯電話のＷｅｂサイトやｅメールのアドレス（以下、ＵＲＬ情報という）、製造者情報、販売者情報、ＩＤ番号、シリアルナンバーなど、商品に関連する様々な商品関連情報を表示する粘着ラベルは、缶ビール、缶コーヒー、ドリンク剤などの商品（商品の包装や容器も含む。以下同じ）に貼着されて商品の販売促進のため懸賞等の応募券などになるキャンペーンラベルとして利用されていた。このようなキャンペーンラベルは、ラベル基材の片面（裏面）全面に剥離容易なように弱粘着層が設けられた構造であり、商品購入者が、商品からこのキャンペーンラベルを引き剥がし、応募券として応募ハガキ等に貼着して郵送することにより、キャンペーンに応募できるというものであった。
【０００３】
しかし、このようなキャンペーンラベルは、商品から簡単に剥がせるため、商品が店頭に陳列されている間に、商品を購入しない者が、キャンペーンラベルだけ盗んで引き剥がし、キャンペーンに応募してしまうという問題が生じていた。
【０００４】
このような問題を解決するべく、特許文献１には、ラベル本体及び粘着層をラベル本体外周に沿ってカットすることにより、外枠部と、該外枠部に外周が囲まれたラベル部とに分け、外枠部の粘着層の粘着力をラベル部の粘着層の粘着力よりも強くしたキャンペーンラベルが開示されている。しかし、特許文献１に記載のキャンペーンラベルは、盗難防止にはなるが、商品購入者も剥がし難くなるという問題が新たに生じてしまうものであった。
【０００５】
また、近年では、応募方法も、懸賞等の応募券を応募ハガキに貼着して応募する方法から、商品購入者が携帯電話などに付属するコードリーダを使ってＵＲＬ情報（例えば、懸賞応募サイトなどの特定Ｗｅｂサイトにアクセスさせたり、特定Ｗｅｂサイトにアクセスさせるための空メールを送信可能にしたりする情報）等をセルドットの二次元分布パターンで表現するＱＲコード（登録商標、以下同じ）などの二次元コードを読み取り、懸賞応募サイトなどのキャンペーン用のＷｅｂサイトにアクセスして、商品毎に異なるＩＤ番号やシリアルナンバーなどの商品識別情報を入力することにより応募する方法に変化してきており、キャンペーンラベルを剥がさなくても盗み見るだけで応募可能となり、前述の問題がより一層深刻化するようになった。
【先行技術文献】
【特許文献】
【０００６】
【特許文献１】特開２００２−２６８５５７号公報
【考案の概要】
【考案が解決しようとする課題】
【０００７】
そこでこの考案は、前記のような従来の問題を解決して、販売促進キャンペーンの内容及びその応募方法などの公示情報は外部から視認可能に表示しつつ、商品識別情報及び二次元コードを商品購入者以外の者に知得できないよう隠蔽可能な粘着ラベルを提供することを目的とする。
【課題を解決するための手段】
【０００８】
前記目的を達成するために、請求項１に記載の考案は、片面に粘着層を有するラベル基材からなり、商品又はその包装や容器に貼着されて販売促進キャンペーンなどの商品関連情報を表示する粘着ラベルであって、前記ラベル基材は、前記粘着層を介して商品又はその包装や容器に貼着される第１基材と、この第１基材の上に前記粘着層を介して貼着される第２基材と、からなる２層構造となっており、前記第１基材の表面又は裏面、前記第２基材の裏面のいずれかの面には、複数の色彩に着色されたセルドットの二次元分布パターンで前記商品関連情報を表現する二次元コード、及びＩＤ番号やシリアルナンバーなどの商品識別に用いる商品識別情報が印刷され、第２基材の表面には、前記キャンペーンの応募方法などの公示情報が印刷され、前記二次元コード及び商品識別情報が、前記第２基材により隠蔽されていることを特徴とする。
【０００９】
請求項２に記載の考案は、請求項１に記載の粘着ラベルにおいて、前記二次元コードには、前記セルドットと異なる色に着色されたデザインキャラクター及び／又はロゴが印刷されていることを特徴とする。
【００１０】
請求項３に記載の考案は、請求項１又は２に記載の粘着ラベルにおいて、前記第２基材の一部が、切り欠かれているか又は切れ目が形成されていることを特徴とする。
【００１１】
請求項４に記載の考案は、請求項１又は２に記載の粘着ラベルにおいて、前記第２基材の一部の裏面に、前記粘着層が形成されていないことを特徴とする。
【００１２】
請求項５に記載の考案は、請求項１又は２に記載の粘着ラベルにおいて、前記第２基材の一部が、他の部分より硬くなっていることを特徴とする。
【考案の効果】
【００１３】
この考案は、前記のようであって、請求項１に記載の考案は、片面に粘着層を有するラベル基材からなり、商品又はその包装や容器に貼着されて販売促進キャンペーンなどの商品関連情報を表示する粘着ラベルであって、前記ラベル基材は、前記粘着層を介して商品又はその包装や容器に貼着される第１基材と、この第１基材の上に前記粘着層を介して貼着される第２基材と、からなる２層構造となっており、前記第１基材の表面又は裏面、前記第２基材の裏面のいずれかの面には、前記商品関連情報をセルドットの二次元分布パターンで表現する二次元コード、及びＩＤ番号やシリアルナンバーなどの商品識別に用いる商品識別情報が印刷され、第２基材の表面には、前記キャンペーンの応募方法などの公示情報が印刷され、前記二次元コード及び商品識別情報が、前記第２基材により隠蔽されているので、販売促進キャンペーンの内容及びその応募方法などの公示情報は外部から視認可能に表示しつつ、商品毎に異なる商品識別情報及び二次元コードを隠蔽して、商品購入者以外の者に知得できないようにすることができる。
【００１４】
請求項２に記載の考案は、請求項１に記載の粘着ラベルにおいて、前記二次元コードには、前記セルドットと異なる色に着色されたデザインキャラクター及び／又はロゴが印刷されているので、前記作用効果に加え、前記第２基材が剥離された状態では、前記二次元コードは、ＵＲＬ情報以外に、デザインキャラクター及び／又はロゴを肉眼で視認可能に表示することができる。つまり、人間には理解できない無味乾燥なセルドット以外に製造会社や販売会社などのデザインキャラクターやロゴを表示することができるため、二次元コードを見る商品購入者に好印象を与えることができ、どのようなＷｅｂサイトにアクセスするか不安な気持ちを緩和して、実際に商品購入者が二次元コードを使って懸賞応募サイトなどの特定Ｗｅｂサイトにアクセスする確率を高めることができる。このため、商品の販売促進を図ることができる。
【００１５】
請求項３に記載の考案は、請求項１又は２に記載の粘着ラベルにおいて、前記第２基材の一部が切り欠かれているか又は切れ目が形成されているので、請求項４に記載の考案は、請求項１又は２に記載の粘着ラベルにおいて、前記第２基材の一部の裏面に前記粘着層が形成されていないので、請求項５に記載の考案は、請求項１又は２に記載の粘着ラベルにおいて、前記第２基材の一部が他の部分より硬くなっているので、前記作用効果に加え、第２基材を剥がし易く、商品識別情報及び二次元コードなどの第２基材で隠れていた情報が見易くなっている。このため、実際に商品購入者が二次元コードを使って懸賞応募サイトなどの特定Ｗｅｂサイトにアクセスする確率を更に高めることができ、商品の販売促進を図ることができる。
【図面の簡単な説明】
【００１６】
【図１】実施例１に係る粘着ラベルを示す平面図である。
【図２】図１のＡ−Ａ線断面図である。
【図３】図１のＢ−Ｂ線断面図である。
【図４】図１の粘着ラベルを、第２基材を剥がした状態で示す平面図である。
【図５】実施例１に係る二次元コードを示す平面図である。
【図６】実施例２に係る粘着ラベルを示す平面図である。
【図７】図６のＣ−Ｃ線断面図である。
【図８】図６の粘着ラベルを、第２基材を剥がした状態で示す平面図である。
【考案を実施するための形態】
【００１７】
この考案の一実施の形態を、添付した図面を参照しながら詳細に説明する。
【実施例１】
【００１８】
図１〜４に示す符号１が、実施例１に係る粘着ラベルであり、図２、３に示すように、この粘着ラベル１は、商品に貼着される第１基材Ｋ１と、この第１基材Ｋ１の上に貼着される第２基材Ｋ２と、からなる２層構造となっており、この第１基材Ｋ１及び第２基材Ｋ２は、それぞれ基材本体Ｋ１０，Ｋ２０と、基材本体Ｋ１０，Ｋ２０の裏面（商品に貼着された際に商品側となる面）に形成された粘着層Ｋ１１，Ｋ２１とから構成され、粘着層Ｋ１１，Ｋ２１の粘着力により、商品及び第１基材Ｋ１にそれぞれ貼着されている。
【００１９】
第１基材Ｋ１及び第２基材Ｋ２の基材本体Ｋ１０，Ｋ２０の材質は、本実施例では、アート紙やコート紙などの紙からなるが、紙以外の樹脂フィルム、例えばポリプロピレン（ＰＰＰ）樹脂やポリエチレンテレフタラート（ＰＥＴ）樹脂などから構成されていてもよい。
【００２０】
また、粘着層Ｋ１１，Ｋ２１の材質としては、アクリル系樹脂、シリコーン系樹脂、酢酸ビニル系樹脂、又は、天然ゴム系、ブチルゴム、ポリイソプレン、ポリイソブチレン、ポリクロロプレン、スチレン−ブタジエン共重合樹脂などのゴム系樹脂等を用いることができるが、これらの樹脂に限定されず、透明で粘着力があまり強くない材質であれば好適に用いることができる。
【００２１】
そして、図１に示すように、第１基材Ｋ１及び第２基材Ｋ２の平面形状は、略同形状となっており、その概略が正方形であるが、ＯＰＥＮコーナーＫ１２，Ｋ２２を除いてコーナー部分が丸く円弧状に成形された形状となっている。
【００２２】
そして、図３に示すように、第２基材Ｋ２の基材本体Ｋ２０とＯＰＥＮコーナーＫ２２との間には、ミシン目などの切れ目が形成されており、ＯＰＥＮコーナーＫ２２を爪で押しながら基材本体Ｋ２０を剥がすことで、第１基材Ｋ１から第２基材Ｋ２を容易に捲ることができる構造となっている。また、第２基材Ｋ２の粘着層Ｋ２１は、一辺（例えば、上辺）の縁部だけが他の部分より粘着力の強い層となっており、第２基材Ｋ２を第１基材Ｋ１から通常の力で引き剥がすと、粘着力の強い辺の縁部だけで第２基材が第１基材Ｋ１に貼着した図４に示すような状態となる。
【００２３】
図４に示すように、第１基材Ｋ１の表面には、図示しない商品関連情報とともに商品毎に異なって商品の識別管理に用いられる商品識別情報であるＩＤ番号が印刷され、第２基材Ｋ２の裏面には、図示しない商品関連情報とともにＵＲＬ情報（例えば、懸賞応募サイトなどの特定Ｗｅｂサイトにアクセスさせたり、特定Ｗｅｂサイトにアクセスさせるための空メールを送信可能にしたりする情報）を複数の色に着色されたセルドットの二次元分布パターンで表現するＱＲコードなどの二次元コードが印刷されている。
【００２４】
また、図１には図示していないが、第２基材Ｋ２の表面には、商品関連情報のうち、キャンペーンの応募内容、応募方法、応募期間、当選人数、製造者情報、販売者情報などの公示すべき公示情報が印刷されている。
【００２５】
このように、実施例１に係る粘着ラベル１によれば、前述の公示情報を見易く表示するとともに、商品の出荷時には、ＩＤ番号などの商品識別情報やＵＲＬ情報などの二次元コードを第２基材Ｋ２で隠蔽することができる。このため、懸賞サイトから応募する際に、商品未購入者がＩＤ番号等を盗み見て応募し難くなっているとともに、商品購入者は、第２基材Ｋ２を捲るだけで第２基材Ｋ２の裏面に印刷されている二次元コードを利用して懸賞応募サイトなどの特定Ｗｅｂサイトにアクセスすることができ、そのＷｅｂサイトの入力フォームに第２基材Ｋ１の表面に印刷されているＩＤ番号を入力するだけで懸賞などのキャンペーンに参加してプレゼント等を貰うことができる。
【００２６】
次に、図５を用いて、二次元コードの好ましい一例を説明する。図５は、実施例１に係る二次元コードを示す平面図である。図５に示す二次元コードは、図面の色制限から白黒で表わしているが、斜線部以外の部分が、例えば、黒と白、緑と白、紺と白などの複数の色彩からなるＱＲコードであり、斜線部分が、セルドットに使用された色彩以外の色彩に着色された肉眼で視認可能なデザインキャラクター及び／又はロゴであり、これら全体としてＵＲＬ情報を表現するデザインキャラクター入りの二次元コード（：ロゴＱ（登録商標、以下同じ））となっている。
なお、具体的な詳細については、特開２００７−２８７００４号公報、特開２００８−１５６４２号公報などに開示されている。
【００２７】
このため、実施例１に係る粘着ラベル１によれば、前記作用効果に加え、人間には理解できない無味乾燥なセルドット以外に、図５の斜線部分に、製造会社や販売会社などのデザインキャラクターや商標などのロゴを表示することができるため、意匠性に優れ、他の商品との差別化を図ることができるだけでなく、二次元コードを見る商品購入者に好印象を与えることができ、どのようなＷｅｂサイトにアクセスするか不安な気持ちを緩和して、実際に商品購入者が二次元コードを使って懸賞応募サイトなどの特定Ｗｅｂサイトにアクセスする確率を高めることができる。このため、商品の販売促進を図ることができる。
【実施例２】
【００２８】
次に、実施例２に係る粘着ラベルについて、図６〜８を用いて説明する。実施例２に係る粘着ラベルが実施例１に係る粘着ラベルと相違する点は、第１基材及び第２基材に印刷されている情報と、ＯＰＥＮコーナーの構成だけなので、相違点についてのみ説明し、同一構成は、同一符号を付して説明を省略する。
【００２９】
図６、図７に示すように、実施例２に係る粘着シート１’は、第１基材Ｋ１’と第２基材Ｋ２’とからなり、第１基材Ｋ１’は、実施例１に係る第１基材Ｋ１と大きさが全体として２／３程度に縮小され、表面に印刷された情報が相違するだけで略同構成となっており、第２基材Ｋ２’は、図７に示すように、基材本体２０’とＯＰＥＮコーナーＫ２２’との間に切れ目が形成されておらず、ＯＰＥＮコーナーＫ２２’の裏面に粘着層が形成されていない粘着層Ｋ２１’となっている点で実施例１の粘着シートＫ２と相違する。
【００３０】
図７及び図８の第２基材Ｋ２’の裏面の斜線で示すように、ＯＰＥＮコーナーＫ２２’の裏面に粘着層が形成されていないので、ＯＰＥＮコーナーＫ２２’を摘み易く、第２基材Ｋ２’を第１基材Ｋ１’から剥がし易くなっている。
【００３１】
また、図８に示すように、第１基材Ｋ１’の基材本体Ｋ１０’の表面には、図示しない商品関連情報とともに商品毎に異なって商品の識別管理に用いられる商品識別情報であるシリアルナンバー及びＵＲＬ情報を内容とする図５に示したデザインキャラクター入り二次元コード（ロゴＱ）が印刷されており、第２基材Ｋ２’の裏面には、図示しない注意事項などの商品関連情報が記載されているか又は空白となっている。なお、第２基材Ｋ２’の表面には、実施例１と同様、販売者情報などの公示すべき公示情報が印刷されている。
【００３２】
このため、実施例２に係る粘着ラベル１’によれば、実施例１に係る粘着ラベル１と同様に、前述の公示情報を見易く表示するとともに、商品の出荷時には、シリアルナンバーなどの商品識別情報やＵＲＬ情報などの二次元コードを第２基材Ｋ２’で隠蔽することができる。それに加え、デザインキャラクター入り二次元コードにより、人間には理解できない無味乾燥なセルドット以外に製造会社や販売会社などのデザインキャラクターや商標などのロゴを表示することができるため、意匠性に優れ、他の商品との差別化を図れるだけでなく、二次元コードを見る商品購入者に好印象を与えることができ、どのようなＷｅｂサイトにアクセスするか不安な気持ちを緩和して、実際に商品購入者が二次元コードを使って懸賞応募サイトなどの特定Ｗｅｂサイトにアクセスする確率を高めることができる。このため、商品の販売促進を図ることができる。
【００３３】
なお、ＯＰＥＮコーナーの構成は、実施例１及び２の構成ではなく、硬質樹脂等を含浸させることにより基材本体の他の部分より硬くする構成であってもよい。このようにＯＰＥＮコーナーを構成することにより、実施例１及び２と同様に、第２基材を剥がし易く、商品識別情報及び二次元コードなどの第２基材で隠れていた情報を見易くすることができるからである。
【００３４】
また、基材本体や粘着層の材質は、実施例として例示したものに限られず、粘着ラベルの形態も、図示した形態に限られず、実用新案登録請求の範囲で適宜変更可能であることは云うまでもない。
【符号の説明】
【００３５】
１，１’          粘着ラベル
Ｋ１，Ｋ１’      第１基材
Ｋ１０，Ｋ１０’  基材本体
Ｋ１１            粘着層
Ｋ１２            ＯＰＥＮコーナー
Ｋ２，Ｋ２’      第２基材
Ｋ２０，Ｋ２０’  基材本体
Ｋ２１，Ｋ２１’  粘着層
Ｋ２２，Ｋ２２’  ＯＰＥＮコーナー
【図１】
0003169174.tif 000003
【図２】
0003169174.tif 000004
【図３】
0003169174.tif 000005
【図４】
0003169174.tif 000006
【図５】
0003169174.tif 000007
【図６】
0003169174.tif 000008
【図７】
0003169174.tif 000009
【図８】
0003169174.tif 000010
【手続補正書】
【提出日】平成23年5月18日(2011.5.18)
【手続補正１】
【補正対象書類名】図面
【補正対象項目名】図５
【補正方法】変更
【補正の内容】
【図５】
0003169174.tif 000011